(57)【要約】  発光素子と、駆動手段と、蓄電素子と、駆動手段及び蓄電素子に電力を供給可能な電池電源とを備え、駆動手段は、蓄電素子が電池電源から供給される電力を蓄電する状態と、蓄電素子が蓄電した電力を発光素子に供給する状態とに切り替え可能に構成され、駆動手段は、蓄電素子が電池電源から供給される電力を蓄電する際には、電池電源に対して蓄電素子と発光素子とを並列接続する一方、蓄電素子が蓄電した電力を発光素子に供給する際には、電池電源と蓄電素子と発光素子とを直列接続するように構成する。かかる構成により、装置の小型化を図ることができる発光素子駆動装置及び携帯機器を提供する。
2011016216.tif 000002
【特許請求の範囲】
【請求項１】
発光素子と、
前記発光素子を駆動する駆動手段と、
蓄電可能な蓄電素子と、
前記駆動手段及び前記蓄電素子に電力を供給可能な電池電源と
を備え、
前記駆動手段は、前記蓄電素子が前記電池電源から供給される電力を蓄電する状態と、前記蓄電素子が蓄電した電力を前記発光素子に供給する状態とに切り替え可能に構成され、
前記蓄電素子が前記電池電源から供給される電力を蓄電する際には、前記電池電源に対して前記蓄電素子と前記発光素子とが並列接続となり、前記蓄電素子が蓄電した電力を前記発光素子に供給する際には、前記電池電源と前記蓄電素子と前記発光素子とが直列接続となるように構成した発光素子駆動装置。
【請求項２】
前記蓄電素子は、電気二重層コンデンサである請求項１に記載の発光素子駆動装置。
【請求項３】
前記駆動手段は、前記蓄電素子が所定電圧値まで蓄電した際に、前記電池電源が前記蓄電素子に電力を供給するのを停止する過蓄電防止部
をさらに備える請求項１又は請求項２に記載の発光素子駆動装置。
【請求項４】
外部と無線通信する際に、前記電池電源から電力が供給されるＲＦ回路と、
前記ＲＦ回路が通信している際に、前記駆動手段が前記発光素子に電力が供給するのを防止する発光防止部と
をさらに備える請求項１又は請求項２に記載の発光素子駆動装置。
【請求項５】
請求項１又は請求項２に記載の発光素子駆動装置を備えることを特徴とする携帯機器。
【請求項６】
光を集光する光学系と、光学系で集光した光を受光する受光素子と
をさらに備える請求項５に記載の携帯機器。
【発明の詳細な説明】
【技術分野】
【０００１】
本発明は、カメラのストロボ等に用いられる発光素子を駆動する駆動装置と、その発光素子駆動装置を備える携帯機器に関する。
【背景技術】
【０００２】
従来、図６に示すように、発光素子２と、発光素子２を駆動する駆動手段３と、蓄電可能な複数の蓄電素子４と、駆動手段３及び蓄電素子４に電力を供給可能な電池電源５とを備える発光素子駆動装置１が知られている。また、発光素子駆動装置１は、撮像可能なカメラ部６と、装置全体を制御する制御部７と、電池電源５から供給される電力を昇圧する昇圧部８と、直列接続された複数の蓄電素子４を均等に蓄電させるバランス抵抗９とを備えている。【０００３】
そして、駆動手段３は、インバータ１０と第１及び第２スイッチ部１１，１２（ＣＭＯＳ）とを備えることで、蓄電素子４が電池電源５から供給される電力を蓄電する状態（以下「蓄電状態」という）と、蓄電素子４が蓄電した電力を発光素子２に供給する状態（以下「放電状態」という）とに切り替え可能に構成されている（例えば、特許文献１）。以下に、蓄電状態と放電状態とをそれぞれ説明する。【０００４】
まず、蓄電状態においては、制御部７がＬ信号を出力すると、インバータ１０の入力にＬ信号が印加されることで、第１スイッチ部１１のゲートの入力にＨ信号が印加されるため、第１スイッチ部１１がオン（閉）となる。一方、第２スイッチ部１２のゲートの入力にＬ信号が印加されるため、第２スイッチ部１２がオフ（開）となる。これにより、電池電源５から、第１スイッチ部１１、昇圧部８及び蓄電素子４の閉ループに電流ｉ１が流れるため、各蓄電素子４が電池電源５から供給される電力を蓄電する。【０００５】
また、放電状態においては、回路を動作させるために制御部７がＨ信号を出力すると、インバータ１０の入力にＨ信号が印加されることで、第１スイッチ部１１のゲートの入力にＬ信号が印加されるため、第１スイッチ部１１がオフ（開）となる。一方、第２スイッチ部１２のゲートの入力にＨ信号が印加されるため、第２スイッチ部１２がオン（閉）となる。これにより、各蓄電素子４、発光素子２及び第２スイッチ部１２の閉ループに電流ｉ２が流れるため、各蓄電素子４が電力を発光素子２に供給することで、発光素子２が発光する。【０００６】
ところで、図６に示す発光素子駆動装置１においては、例えば、電池電源５の供給できる電力の電圧値が３．６Ｖであり、各蓄電素子４の供給できる電力の電圧値が２．５Ｖであるのに対して、発光素子２を発光させるための電力の電圧値がそれらの電圧値よりも高い４．０Ｖを必要とする。そのため、昇圧部８が配置されていたり、蓄電素子４，４が直列に複数接続されていたりしている。【０００７】
具体的には、蓄電状態において、電池電源５から供給する電圧値３．６Ｖの電力を、昇圧部８が電圧値５．０Ｖまで昇圧することで、二つの蓄電素子４，４が加算電圧値５．０Ｖになるまで電力を蓄電できる。そして、放電状態において、二つの蓄電素子４，４から加算電圧値５．０Ｖの電力を放電することで、電池電源５や一つの蓄電素子４の供給できる電圧値よりも高い電圧値の電力を発光素子２に供給できるため、発光素子２を発光させることができる。【０００８】
しかしながら、昇圧部８が配置されていたり、蓄電素子４が直列に複数接続されていたりすると、装置が大型化する。しかも、昇圧部８を省略するために、供給できる電圧値が高い電池電源５を採用したとしても、電池電源５が大きくなるため、装置が思うように小型化できず、しかも、コストアップの要因にもなりかねない。よって、本発明は、かかる事情に鑑み、装置の小型化を図ることができる発光素子駆動装置及び携帯機器を提供する。
【先行技術文献】
【特許文献】
【０００９】
【特許文献１】特開２００７−１０８５４５号
【発明の概要】
【００１０】
本発明に係る発光素子駆動装置は、発光素子と、発光素子を駆動する駆動手段と、蓄電可能な蓄電素子と、駆動手段及び蓄電素子に電力を供給可能な電池電源とを備え、駆動手段は、蓄電素子が電池電源から供給される電力を蓄電する状態と、蓄電素子が蓄電した電力を発光素子に供給する状態とに切り替え可能に構成され、蓄電素子が電池電源から供給される電力を蓄電する際には、電池電源に対して蓄電素子と発光素子とが並列接続となり、蓄電素子が蓄電した電力を発光素子に供給する際には、電池電源と蓄電素子と発光素子とが直列接続となるように構成したものである。
【００１１】
かかる構成によって、昇圧部を省略したり、蓄電素子が発光素子に供給する電力の電圧値を小さくしたりすることができる。
【００１２】
また、本発明に係る発光素子駆動装置においては、蓄電素子は、電気二重層コンデンサとしてもよい。
【００１３】
かかる構成によって、電気二重層コンデンサが他の蓄電可能な部材に対して蓄電容量が大きいわりに小型であるため、装置をさらに小型化することができる。
【００１４】
また、本発明に係る発光素子駆動装置においては、駆動手段は、蓄電素子が所定電圧値まで蓄電した際に、電池電源が蓄電素子に電力を供給するのを停止する過蓄電防止部を備えてもよい。かかる構成によって、蓄電素子が過蓄電（過充電）することを防止でき、蓄電素子が損傷や破壊するのを防止できる。
【００１５】
また、本発明に係る発光素子駆動装置においては、外部と無線通信する際に、電池電源から電力が供給されるＲＦ（Ｒａｄｉｏ  Ｆｒｅｑｕｅｎｃｙ）回路を備え、発光素子に電力が供給されるのを防止する発光防止部を備えてもよい。
【００１６】
かかる構成によって、ＲＦ回路が電圧不足により停止又は誤動作したり、発光素子が電圧不足により不完全に発光したりするのを防止できる。
【００１７】
また、本発明に係る携帯機器においては、光を集光する光学系と、光学系で集光した光を受光する受光素子とを備えてもよい。
【００１８】
かかる構成によって、電池電源と蓄電素子との発光素子に供給できる電力の加算電圧値が発光素子を発光させるための電圧値よりも大きくなるように設定することで、発光素子を発光させることができるため、装置の小型化を図ることができるという優れた効果を奏する。
【図面の簡単な説明】
【００１９】
【図１Ａ】図１Ａは、本発明の第１の実施形態における携帯機器全体の斜視図である。
【図１Ｂ】図１Ｂは、本発明の第１の実施形態における携帯機器全体の異なる方向からの斜視図である。
【図２】図２は、本発明の第１の実施形態における発光素子駆動装置の回路図である。
【図３】図３は、本発明の第２の実施形態における発光素子駆動装置の回路図である。
【図４】図４は、本発明の第３の実施形態における発光素子駆動装置の回路図である。
【図５】図５は、本発明の第４の実施形態における発光素子駆動装置の回路図である。
【図６】図６は、従来における発光素子駆動装置における回路図である。
【発明を実施するための形態】
【００２０】
（第１の実施形態）
以下、本発明の第１の実施形態における発光素子駆動装置及び携帯機器について、図１Ａ、図１Ｂ及び図２を用いて説明する。なお、これらにおいて、図６の符号と同一の符号を付した部分は、特に説明がない限り、従来技術と同一の構成又は要素を表す。
【００２１】
図１Ａ、図１Ｂ及び図２に示すように、本第１の実施形態における携帯機器１３は、発光素子駆動装置１を備えることで、ＬＥＤフラッシュ機能とデジタルカメラ機能とを搭載した携帯電話機である。また、携帯機器１３は、第１本体１４と、第１本体１４とヒンジ機構１５を介して折り畳み自在である第２本体１６とを備える。
【００２２】
第１本体１４には、携帯機器１３を折り畳んだ際の内面側に、数字キーなどによって構成されて携帯機器１３の操作の入力を行う操作キー部１７と、送話音声を入力するマイク１８とを備える。また、第１本体１４には、携帯機器１３を折り畳んだ際の外面側に、着信状態などを通知するサウンダ１９を備える。
【００２３】
第２本体１６には、携帯機器１３を折り畳んだ際の内面側に、受話音声を出力するスピーカ２０と、文字や画像を表示する第１ディスプレイ２１とを備える。また、第２本体１６には、携帯機器１３を折り畳んだ際の外面側に、第１ディスプレイ２１と同様に文字や画像を表示する第２ディスプレイ２２と、光を放射する発光素子２と、被写体で反射した光（発光素子２の光や太陽光等の光）を集光する光学系２３とを備える。なお、光学系２３は、本第１の実施形態においては、対物レンズとしている。
【００２４】
発光素子駆動装置１は、上記した発光素子２の他に、発光素子２を駆動する駆動手段３と、蓄電可能な蓄電素子４と、駆動手段３及び蓄電素子４に電力を供給可能な電池電源５とを備える。また、発光素子駆動装置１は、光学系２３で集光した光を受光する受光素子（図示していない）を有して撮像可能なカメラ部６と、装置全体を制御する制御部７（ＣＰＵ）と、発光素子２に流れる電流を制限するため制限抵抗２５とを備える。
【００２５】
本第１の実施形態において、発光素子２は、（白色）ＬＥＤとし、駆動手段３は、インバータ１０、第１〜第３スイッチ部１１，１２，２６（ＣＭＯＳ）及びダイオード２７を備える。また、蓄電素子４は、電気二重層コンデンサとし、電池電源５は、Ｌｉイオン二次電池とし、受光素子は、撮像素子（ＣＭＯＳイメージセンサ又はＣＣＤイメージセンサ）としている。
【００２６】
そして、駆動手段３は、電池電源５に対して蓄電素子４と発光素子２とを並列接続することで、蓄電素子４が電池電源５から供給される電力を蓄電する状態（蓄電状態）と、電池電源５と蓄電素子４と発光素子２とを直列接続することで、電池電源５の電力及び蓄電素子４が蓄電した電力を、発光素子２に供給する状態（放電状態）とに切り替え可能に構成している。
【００２７】
本第１の実施形態に係る発光素子駆動装置１及び携帯機器１３の構成については以上の通りであり、次に、本実施形態に係る発光素子駆動装置１の動作について説明する。
【００２８】
まず、蓄電状態においては、制御部７がＬ信号を出力すると、第１及び第２スイッチ部１１，１２のゲートの入力にＬ信号が印加されるため、第１及び第２スイッチ部１１，１２がオフ（開）となる。一方、インバータ１０の入力にＬ信号が印加されることで、第３スイッチ部２６のゲートの入力にＨ信号が印加されるため、第３スイッチ部２６がオン（閉）となる。
【００２９】
これにより、電池電源５から、ダイオード２７、蓄電素子４及び第３スイッチ部２６の閉ループに電流ｉ１が流れるため、蓄電素子４が電池電源５から供給される電力を蓄電する。このとき、蓄電素子４は、電池電源５の供給される電力の電圧値３．６Ｖから、ダイオード２７で電圧値０．６Ｖが降下されるため、電圧値３．０Ｖの電力を蓄電できる。なお、発光素子２にも、電圧値３．０Ｖの電圧が印加されるが、第２スイッチ部１２がオフ（開）であるため、発光しない。
【００３０】
また、放電状態においては、回路を動作させるために制御部７がＨ信号を出力すると、第１及び第２スイッチ部１１，１２のゲートの入力にＨ信号が印加されるため、第１及び第２スイッチ部１１，１２がオン（閉）となる。一方、インバータ１０の入力にＨ信号が印加されることで、第３スイッチ部２６のゲートの入力にＬ信号が印加されるため、第３スイッチ部２６がオフ（開）となる。
【００３１】
これにより、電池電源５の正電圧側と蓄電素子４の負電圧側とが接続されるため、電池電源５から、第１スイッチ部１１、蓄電素子４、制限抵抗２５、発光素子２及び第２スイッチ部１２の閉ループに電流ｉ２が流れるため、電池電源５と蓄電素子４とが発光素子２に電力を供給する。このとき、電池電源５の供給する電力の電圧値３．６Ｖと、蓄電素子４の放電する電力の電圧値３．０Ｖとの加算された電圧値６．６Ｖが、発光素子２が発光する電力の電圧値４．０Ｖより大きくなる。
【００３２】
したがって、発光するのに十分な電圧が発光素子２に印加されるため、制限抵抗２５で制限された過渡電流が発光素子２に流れ、発光素子２が発光する。なお、発光素子２は、電池電源５と蓄電素子４との加算電圧値が発光素子２を発光させる電圧値よりも小さくなるか、制御部７からＬ信号が出力されて、発電素子２に流れる電流ｉ２が遮断されるまで、発光し続ける。
【００３３】
以上より、本第１の実施形態に係る発光素子駆動装置１及び携帯機器１３によれば、蓄電素子４が電池電源５から供給される電力を蓄電する際には、駆動手段３により、電池電源５に対して蓄電素子４と発光素子２とを並列接続する。また、蓄電素子４が蓄電した電力を発光素子２に供給する際には、駆動手段３により、電池電源５と蓄電素子４と発光素子２とを直列接続する。
【００３４】
これにより、電池電源５と蓄電素子４との発光素子２に供給できる電力の加算電圧値が発光素子２を発光させるための電圧値よりも大きくなるように設定することで、発光素子２を発光させることができる。したがって、例えば、電池電源５の供給できる電力の電圧値が３．６Ｖであり、蓄電素子４の供給できる電力の電圧値が２．５Ｖであるのに対して、発光素子２を発光させるための電力の電圧値がそれらの電圧値よりも高い４．０Ｖである場合においても、昇圧部８を設ける必要がない。しかも、蓄電素子４を複数設ける必要がないため、装置の小型化を図ることができる。
【００３５】
（第２の実施形態）
次に、本発明に係る発光素子駆動装置における第２の実施形態について、図３を用いて説明する。なお、図３において、図１Ａ、図１Ｂ及び図２の符号と同一の符号を付した部分は、特に説明がない限り、第１の実施形態と同一の構成又は要素を表す。
【００３６】
図３に示された本第２の実施形態に係る発光素子駆動装置１は、発光素子２に所定電流値以上の電流を流すと、発光素子２が短寿命になったり、損傷（破滅）したりすることがあるという課題を解決するものである。さらに、蓄電素子４に所定電圧値以上の電力を蓄電して長時間放置すると、蓄電素子４が短寿命となったり、損傷（破滅）したりするという課題を解決するものである。
【００３７】
具体的には、発光素子駆動装置１は、第１の実施形態の発光素子駆動装置１と比較して、制限抵抗２５に代えて定電流回路部２８を備える点で相違する。さらに、駆動手段３に、蓄電素子４が過蓄電することを防止すべく、蓄電素子４が所定電圧値まで蓄電した際に、電池電源５が蓄電素子４に電力を供給するのを停止する過蓄電防止部２９が設けられている点とで相違する。なお、それ以外の構成については、第１の実施形態に係る発光素子駆動装置１と略同様の構成であるため、説明を省略する。
【００３８】
駆動手段３は、蓄電状態及び放電状態とは異なる、即ち、蓄電素子４が蓄電も放電もしない状態（以下「待機状態」ともいう）にも切り替え可能に構成されている。そして、過蓄電防止部２９は、蓄電素子４に対して蓄電電圧値が基準電圧値（例えば２．５Ｖ）に到達したことを検出する電圧検出部３０と、電圧検出部３０の出力信号により蓄電を遮断する第４スイッチ部３１（ＣＭＯＳ）とを備える。
【００３９】
また、電圧検出部３０は、入力端子のうち正（＋）端子に、蓄電素子４の性能を保証する基準電圧値２．５Ｖが設定され、入力端子のうち負（−）端子に、蓄電素子４の正電圧が印加されるように接続される。一方、出力端子に、電池電源５及び蓄電素子４間に配置される第４スイッチ部３１のゲートが接続されている。
【００４０】
本実施形態に係る発光素子駆動装置１の構成については以上の通りであり、次に、本実施形態に係る発光素子駆動装置１の動作について説明する。
【００４１】
まず、蓄電状態（初期状態）においては、制御部７がＬ信号を出力すると、第１及び第２スイッチ部１１，１２がオフ（開）となる一方、第３スイッチ部２６がオン（閉）となる。また、蓄電素子４が基準電圧値までの電力を蓄電していないため、電圧検出部３０においては、正端子側（基準電圧値）の方がＨレベルである。したがって、電圧検出部３０がＨ信号を出力することで、第４スイッチ部３１のゲートの入力にＨ信号が印加されるため、第４スイッチ部３１がオン（閉）となる。
【００４２】
これにより、電池電源５から、第４スイッチ部３１、蓄電素子４及び第３スイッチ部２６の閉ループに電流ｉ１が流れるため、蓄電素子４が電池電源５から供給される電力を蓄電する。そして、蓄電素子４が基準電圧値（２．５Ｖ）まで電力を蓄電すると、電圧検出部３０においては、正端子側（基準電圧値）の方がＬレベルとなるため、電圧検出部３０がＬ信号を出力することで、第４スイッチ部３１がオフ（開）となる。これにより、電池電源５が蓄電素子４に電力を供給するのを停止する。
【００４３】
また、放電状態においては、回路を動作させるために制御部７がＨ信号を出力すると、第１及び第２スイッチ部１１，１２がオン（閉）となる。一方、第３スイッチ部２６がオフ（開）となる。また、第４スイッチ部３１は、オフ（開）のままである。これにより、電池電源５から、第１スイッチ部１１、蓄電素子４、定電流回路部２８、発光素子２及び第２スイッチ部１２の閉ループに電流ｉ２が流れる。
【００４４】
したがって、発光するのに十分な電圧が発光素子２に印加されることになるため、定電流回路部２８で設定された定電流が発光素子２に流れ、発光素子２が発光する。なお、蓄電素子４が放電することで基準電圧値よりも低くなった場合でも、電圧検出部３０の負端子には、電池電源５と蓄電素子４との加算された電圧が印加されるため、電圧検出部３０がＬ信号を出力したままなので、第４スイッチ部３１がオフ（開）のままとなる。これにより、蓄電素子４の電力が電池電源５側に放出することはない。
【００４５】
以上より、本実施形態に係る発光素子駆動装置１によれば、蓄電素子３が所定電圧値まで蓄電した際に、過蓄電防止部２９は、電池電源５が蓄電素子４に電力を供給するのを停止する。これにより、蓄電素子４が過蓄電することを防止でき、蓄電素子４が損傷（破壊）するのを防止できる。
【００４６】
（第３の実施形態）
次に、本発明に係る発光素子駆動装置における第３の実施形態について、図４を用いて説明する。なお、図４において、図１Ａ、図１Ｂ〜図３の符号と同一の符号を付した部分は、特に説明がない限り、第１及び第２の実施形態と同一の構成又は要素を表す。
【００４７】
図４に示された本第３の実施形態に係る発光素子駆動装置１は、発光素子２が発光するとき、電池電源５からも発光素子２の発光電流と同等の電流が流出するため、発光素子２の発光電流が所定の電流値において、電池電源５が自身の内部抵抗により、電池電源５の端子電圧が低下し、他に不具合を及ぼす場合があるという課題を解決するものである。
【００４８】
具体的には、発光素子駆動装置１は、第２の実施形態の発光素子駆動装置１と比較して、発光素子２が発光するときに、電池電源５及び蓄電素子４の（加算された）電力を入力し、電池電源５と同電圧値の電力を出力する定電圧回路部３２を備える点で相違する。さらに、カメラ部６と制御部７とが電池電源５及び定電圧回路部３２の両方から第１及び第２ダイオード３３，３４を介して電力を供給する点とで相違する。なお、それ以外の構成については、第２の実施形態に係る発光素子駆動装置１と略同様の構成であるため、説明を省略する。
【００４９】
したがって、本第３の実施形態に係る発光素子駆動装置１によれば、カメラ部６及び制御部７は、通常は、電池電源５から第１ダイオード３３を介して電力を供給する一方、発光素子２が発光するときには、電池電源５と定電圧回路部３２との両方から電力を供給する。したがって、発光素子２が発光するときに、電池電源５の端子電圧が低下しても、定電圧回路部３２から電力が供給するため、カメラ部６及び制御部７に不具合を及ぼすのを防止できる。
【００５０】
（第４の実施形態）
次に、本発明に係る発光素子駆動装置における第４の実施形態について、図５を用いて説明する。なお、図５において、図１Ａ、図１Ｂ及び図２の符号と同一の符号を付した部分は、特に説明がない限り、第１実施形態と同一の構成又は要素を表す。
【００５１】
図５に示された本実施形態に係る発光素子駆動装置１は、ＲＦ回路３８が外部と無線通信する際に、電池電源５からＲＦ回路３８に電力が供給されるため、ＲＦ回路３８の通信と、発光素子２の発光とが同時に起こると、電池電源５の電圧低下（不足）により、ＲＦ回路３８が停止又は誤動作したり、発光素子２が不完全に（発光量不足で）発光したりする場合があるという課題を解決するものである。
【００５２】
具体的には、発光素子駆動装置１は、第１の実施形態の発光素子駆動装置１と比較して、外部と無線通信する際に、電池電源５から電力が供給されるＲＦ回路３８を備え、駆動手段３は、ＲＦ回路３８が通信している際に、発光素子２が発光するのを防止すべく、発光素子２に電力が供給されるのを防止する発光防止部３５を備える点で相違する。なお、それ以外の構成については、第１の実施形態に係る発光素子駆動装置１と略同様の構成であるため、説明を省略する。
【００５３】
ＲＦ回路３８は、電池電源５と接続されている。そして、ＲＦ回路３８は、電池電源５に対して、カメラ部６や制御部７と並列接続されていると共に、発光素子２とも並列接続されている。また、ＲＦ回路３８が通信する場合には、使用者の意志に基づいて通信する、例えば、他の携帯電話機（移動局）と通信したり、インターネット接続したりする場合（積極的な通信）の他、使用者の意思に関係なく通信する、例えば、基地局から受信した電波を返信するポーリング動作（基地局の確認作業）により通信する場合（消極的な通信）もある。
【００５４】
発光防止部３５は、本実施形態において、ＲＦ回路３８からの出力信号が入力に印加されるインバータ（ＮＯＴゲート）３６と、制御部７からの出力信号が第１の入力に印加され、且つ当該インバータ３６からの出力信号が第２の入力に印加されるＡＮＤゲート３７とを備える。
【００５５】
本第４の実施形態に係る発光素子駆動装置１の構成については以上の通りであり、次に、本実施形態に係る発光素子駆動装置１の動作について説明する。
【００５６】
蓄電状態においては、制御部７がＬ信号を出力すると、第１スイッチ部１１のゲートの入力にＬ信号が印加されるため、第１スイッチ部１１がオフ（開）になる。一方、インバータ１０の入力にＬ信号が印加されることで、第３スイッチ部２６のゲートの入力にＨ信号が印加されるため、第３スイッチ部２６がオン（閉）となる。
【００５７】
そして、ＡＮＤゲート３７の第１の入力にも制御部７からのＬ信号が印加されるため、ＲＦ回路３８（インバータ３６）からの出力信号（即ち、第２の入力）に関わらず、ＡＮＤゲート３７がＬ信号を出力する。これにより、第２スイッチ部１２のゲートの入力にＬ信号が印加されるため、第２スイッチ部１２がオフ（開）となる。
【００５８】
これにより、電池電源５から、ダイオード２７、蓄電素子４及び第３スイッチ部２６の閉ループに電流が流れるため、蓄電素子４が電池電源５から供給される電力を蓄電する。なお、発光素子２にも、電圧が印加されるが、第２スイッチ部１２がオフ（開）であるため、発光しない。
【００５９】
また、放電状態においては、回路を動作させるために制御部７がＨ信号を出力すると、第１スイッチ部１１のゲートの入力にＨ信号が印加されるため、第１スイッチ部１１がオン（閉）となる。一方、インバータ１０の入力にＨ信号が印加されることで、第３スイッチ部２６のゲートの入力にＬ信号が印加されるため、第３スイッチ部２６がオフ（開）となる。そして、ＡＮＤゲート３７の第１の入力にも、制御部７からのＨ信号が印加される。
【００６０】
したがって、ＲＦ回路３８が通信している際には、ＲＦ回路３８からＨ信号が出力されるため、インバータ３６を介して、ＡＮＤゲート３７の第２の入力にＬ信号が印加される。これにより、ＡＮＤゲート３７がＬ信号を出力するため、第２スイッチ部１２のゲートの入力にＬ信号が印加され、第２スイッチ部１２がオフ（開）となり、その結果、発光素子２が発光するのを防止できる。
【００６１】
反対に、ＲＦ回路３８が通信していない際には、ＲＦ回路３８からＬ信号が出力されるため、インバータ３６を介して、ＡＮＤゲート３７の第２の入力にＨ信号が印加される。これにより、ＡＮＤゲート３７がＨ信号を出力するため、第２スイッチ部１２のゲートの入力にＨ信号が印加され、第２スイッチ部１２がオン（閉）となり、その結果、電池電源５から、第１スイッチ部１１、蓄電素子４、制限抵抗２５、発光素子２及び第２スイッチ部１２の閉ループに電流が流れ、発光素子２が発光できる。
【００６２】
以上より、本第４の実施形態にかかる構成の発光素子駆動装置１によれば、ＲＦ回路３８が外部と無線通信する際に、電池電源５から電力が供給されるため、電池電源５の電圧が低下する。しかしながら、ＲＦ回路３８が通信している際に、発光素子２に電力が供給されるのを発光防止部３５で防止するため、電池電源５の電圧が低下している際に、発光素子２が発光するのを防止できる。これにより、ＲＦ回路３８が電力不足により停止又は誤動作したり、発光素子２が電力不足により不完全に発光したりするのを防止できる。
【００６３】
なお、本発明に係る発光素子駆動装置及び携帯機器は、上記した実施の形態に限定されるものではなく、本発明の要旨を逸脱しない範囲内において種々変更を加え得る。また、上記した複数の実施形態の構成や方法等を任意に採用して組み合わせてもよく、１つの実施形態に係る構成や方法等を他の実施形態に係る構成や方法等に適用してもよい。
【産業上の利用可能性】
【００６４】
本発明に係る発光素子駆動装置及び携帯機器は、装置の小型化を図ることが必要な発光素子駆動装置及び携帯電話機といった携帯機器の用途に適用できる。
【符号の説明】
【００６５】
１    発光素子駆動装置
２    発光素子
３    駆動手段
４    蓄電素子
５    電池電源
６    カメラ部
７    制御部
８    昇圧部
９    バランス抵抗
１０    インバータ
１１    第１スイッチ部
１２    第２スイッチ部
１３    携帯機器
１４    第１本体
１５    ヒンジ機構
１６    第２本体
１７    操作キー部
１８    マイク
１９    サウンダ
２０    スピーカ
２１    第１ディスプレイ
２２    第２ディスプレイ
２３    光学系
２５    制限抵抗
２６    第３スイッチ部
２７    ダイオード
２８    定電流回路部
２９    過蓄電防止部
３０    電圧検出部
３１    第４スイッチ部
３２    定電圧回路部
３３    第１ダイオード
３４    第２ダイオード
３５    発光防止部
３６    インバータ
３７    ＡＮＤゲート
３８    ＲＦ回路
【図１Ａ】
2011016216.tif 000003
【図１Ｂ】
2011016216.tif 000004
【図２】
2011016216.tif 000005
【図３】
2011016216.tif 000006
【図４】
2011016216.tif 000007
【図５】
2011016216.tif 000008
【図６】
2011016216.tif 000009
【国際調査報告】
2011016216.tif 000010
2011016216.tif 000011
2011016216.tif 000012
2011016216.tif 000013